(57)【特許請求の範囲】
【請求項１】
処理すべきデータを記憶している情報処理装置と、該情報処理装置とのデータ通信を行う通信装置とを有する通信システムにおいて、
前記情報処理装置は、
記憶している記憶データを表す一又は複数の画像を表示する表示部と、
前記表示部の表示面に表示された画像への接触及び接触位置を検出する検出手段と、
前記通信装置と通信を確立する通信確立手段と、
前記検出手段による検出結果に基づき、前記接触位置に表示された画像に対する接触の位置に応じて、該画像に対応する対応記憶データへの制御指示を判定する判定手段と、
前記判定手段の判定結果に基づき、接触位置に係る画像に対応する対応記憶データを制御し、前記通信装置に送信する送信部とを備え、
前記通信装置は、
前記情報処理装置の送信部からの前記対応記憶データを受信する受信部を備えることを特徴とする通信システム。
【請求項２】
前記判定手段は、前記検出手段にて検出された画像に対する接触の位置が移動していない場合、前記送信部は前記対応記憶データを前記通信装置に移動するように判定し、検出された画像に対する接触の位置が移動した場合、前記送信部は前記対応記憶データを前記通信装置に複写するように判定することを特徴とする請求項１に記載の通信システム。
【請求項３】
前記情報処理装置は、
前記送信部が前記対応記憶データを特定する特定データを前記通信装置に送信し、
前記通信装置は、
記憶部と、
前記受信部が受信した特定データに対応するデータが前記記憶部に記憶されているか否かを判定する既記憶判定手段と、
該特定データに対応するデータが前記記憶部に記憶されていると判定された場合、その旨を報知する報知手段とを備えることを特徴とする請求項１又は２に記載の通信システム。
【請求項４】
前記通信装置は、
前記情報処理装置からの前記対応記憶データ又は複写データの受信開始又は受信終了の際、前記報知手段がその旨を報知するように構成されていることを特徴とする請求項３に記載の通信システム。
【請求項５】
前記情報処理装置は、
前記対応記憶データの量が所定の閾値以上であるか否かを判定するデータ量判定手段を備え、
閾値以上である場合、前記送信部が、その旨を表すデータを前記通信装置に送信し、
前記通信装置は、
該データを受信した場合、前記報知手段がその旨を報知するように構成されていることを特徴とする請求項３又は４に記載の通信システム。
【請求項６】
前記情報処理装置は、
前記通信装置が所定範囲内にあるか否かを判定する有無判定手段を備え、
前記通信装置が所定範囲内にあると判定した場合、前記表示部は前記画像を表示するように構成されていることを特徴とする請求項１又は２に記載の通信システム。
【請求項７】
前記情報処理装置は、
前記送信部が前記対応記憶データを特定する特定データを前記通信装置に送信し、
前記通信装置は、
記憶部と、
前記受信部が受信した特定データに対応するデータが前記記憶部に記憶されているか否かを判定する既記憶判定手段と、
該特定データに対応するデータが前記記憶部に記憶されていると判定された場合、その旨を報知する報知手段とを備えることを特徴とする請求項６に記載の通信システム。
【請求項８】
前記通信装置は、
前記情報処理装置からの前記対応記憶データ又は複写データの受信開始又は受信終了の際、前記報知手段がその旨を報知するように構成されていることを特徴とする請求項７に記載の通信システム。
【請求項９】
前記情報処理装置は、
前記対応記憶データの量が所定の閾値以上であるか否かを判定するデータ量判定手段を備え、
閾値以上である場合、前記送信部が、その旨を表すデータを前記通信装置に送信し、
前記通信装置は、
該データを受信した場合、前記報知手段がその旨を報知するように構成されていること  を特徴とする請求項７又は８に記載の通信システム。
【請求項１０】
処理すべきデータを記憶しており、外部装置とのデータ通信を行う情報処理装置において、
記憶している記憶データを表す一又は複数の画像を表示する表示部と、
前記表示部の表示面に表示された画像への接触及び接触位置を検出する検出手段と、
前記外部装置と通信を確立する通信確立手段と、
前記検出手段による検出結果に基づき、前記接触位置に表示された画像に対する接触の位置に応じて、該画像に対応する対応記憶データへの制御指示を判定する判定手段と、
前記判定手段の判定結果に基づき、接触位置に係る画像に対応する対応記憶データを制御し、前記外部装置に送信する送信部と
を備えることを特徴とする情報処理装置。
【請求項１１】
前記判定手段は、前記検出手段にて検出された画像に対する接触の位置が移動していない場合、前記送信部は前記対応記憶データを前記外部装置に移動するように判定し、検出された画像に対する接触の位置が移動した場合、前記送信部は前記対応記憶データを前記外部装置に複写するように判定することを特徴とする請求項１０に記載の情報処理装置。
【請求項１２】
前記対応記憶データの量が所定の閾値以上であるか否かを判定するデータ量判定手段を備え、
閾値以上である場合、前記送信部が、その旨を表すデータを前記外部装置に送信するように構成されていることを特徴とする請求項１０又は１１に記載の情報処理装置。
【請求項１３】
前記外部装置が所定範囲内にあるか否かを判定する有無判定手段を備え、
前記外部装置が所定範囲内にあると判定した場合、前記表示部は前記画像を表示するように構成されていることを特徴とする請求項１０又は１１に記載の情報処理装置。
【請求項１４】
前記対応記憶データの量が所定の閾値以上であるか否かを判定するデータ量判定手段を備え、
閾値以上である場合、前記送信部が、その旨を表すデータを前記外部装置に送信するように構成されていることを特徴とする請求項１３に記載の情報処理装置。
【請求項１５】
請求項１０〜１４の何れかに記載の情報処理装置とデータ通信を行う通信装置において、
記憶部と、
前記対応記憶データを特定する特定データを受信する受信部と、
該受信部が受信した特定データに対応するデータが前記記憶部に記憶されているか否かを判定する既記憶判定手段と、
該特定データに対応するデータが前記記憶部に記憶されていると判定された場合、その旨を報知する報知手段とを備えることを特徴とする通信装置。
【請求項１６】
前記情報処理装置からの前記対応記憶データ又は複写データの受信開始又は受信終了の際、前記報知手段がその旨を報知するように構成されていることを特徴とする請求項１５に記載の通信装置。
【請求項１７】
処理すべきデータを記憶しており、表示部と、該表示部の表示面に表示された画像への接触及び接触位置を検出する検出手段とを備える情報処理装置にて前記外部装置とデータを通信する通信方法において、
記憶している記憶データを表す一又は複数の画像を前記表示部に表示するステップと、
前記外部装置と通信を確立する通信確立ステップと、
前記検出手段による検出結果に基づき、前記接触位置に表示された画像に対する接触の位置に応じて、該画像に対応する対応記憶データへの制御指示を判定する判定ステップと、
前記判定ステップでの判定結果に基づき、接触位置に係る画像に対応する対応記憶データを制御し、前記外部装置に送信するステップと
を含むことを特徴とする通信方法。
【請求項１８】
処理すべきデータを記憶しており、表示部と、該表示部の表示面に表示された画像への接触及び接触位置を検出する検出手段とを備え、該外部装置とデータの通信を行う情報処理装置を構成するコンピュータに、データを通信させるコンピュータプログラムにおいて、
コンピュータに、記憶している記憶データを表す一又は複数の画像を前記表示部に表示させるステップと、
コンピュータに、前記外部装置と通信を確立させる通信確立ステップと、
コンピュータに、前記検出手段による検出結果に基づき、前記接触位置に表示された画像に対する接触の位置に応じて、該画像に対応する対応記憶データへの制御指示を判定させる判定ステップと、
コンピュータに、前記判定ステップでの判定結果に基づき、接触位置に係る画像に対応する記憶データを制御し、前記外部装置に送信させるステップと
を実行させることを特徴とするコンピュータプログラム。
【請求項１９】
請求項１８に記載のコンピュータプログラムを記録してあることを特徴とするコンピュータでの読み取りが可能な記録媒体。
【発明の詳細な説明】
【技術分野】
【０００１】
本発明は、処理すべきデータを記憶している情報処理装置と、該情報処理装置とのデータ通信を行う通信装置とを有する通信システム、情報処理装置、通信装置、通信方法、コンピュータプログラム、並びに該コンピュータプログラムが記録された記録媒体に関する。
【背景技術】
【０００２】
従来、ＵＳＢメモリ等のメモリデバイスが接続可能な複合機においては、スキャナにより画像を読み取って画像データを生成し、生成された画像データを接続されたメモリデバイスに記憶させる、いわゆる「スキャンｔｏメモリ」機能が搭載されていた（例えば、特許文献１参照）。
【０００３】
前記スキャンｔｏメモリ機能を実行させる場合は、使用者が、例えば、タッチパネルからなる操作パネルを操作し、原稿の画像を読み取って画像データを生成するように指示し、生成された画像データを接続中のメモリデバイスに送るように指示する必要がある。
【先行技術文献】
【特許文献】
【０００４】
【特許文献１】特開２００８−１８７４９５号公報
【発明の概要】
【発明が解決しようとする課題】
【０００５】
しかしながら、上述したような従来の複合機の機能においては、複数の画像データが生成され、該複数の画像データから選択された画像データを送信先（メモリデバイス）に送信する場合、使用者の操作が煩わしくなるといった問題がある。
【０００６】
すなわち、使用者は、前記複数の画像データの中から送信すべき画像データを選択する操作と、選択された画像データの送信先を選択する操作とを夫々行う必要がある。更に、送信先の選択においては誤操作の虞もある。
【０００７】
更に、例えば、送信すべき画像データを選択するための画面と、選択された画像データの送信先を選択するための画面とが同一画面でない場合は、一層、使用者の操作が煩わしくなる。
【０００８】
本発明は、斯かる事情に鑑みてなされたものであり、その目的とするところは、使用者の操作負担を大幅に省くことができる通信システム、情報処理装置、通信装置、通信方法、コンピュータプログラム及び該コンピュータプログラムが記録された記録媒体を提供することにある。
【課題を解決するための手段】
【０００９】
本発明に係る通信システムは、処理すべきデータを記憶している情報処理装置と、該情報処理装置とのデータ通信を行う通信装置とを有する通信システムにおいて、前記情報処理装置は、記憶している記憶データを表す一又は複数の画像を表示する表示部と、前記表示部の表示面に表示された画像への接触及び接触位置を検出する検出手段と、前記通信装置と通信を確立する通信確立手段と、前記検出手段による検出結果に基づき、前記接触位置に表示された画像に対する接触の位置に応じて、該画像に対応する対応記憶データへの制御指示を判定する判定手段と、前記判定手段の判定結果に基づき、接触位置に係る画像に対応する対応記憶データを制御し、前記通信装置に送信する送信部とを備え、前記通信装置は、前記情報処理装置の送信部からの前記対応記憶データを受信する受信部を備えることを特徴とする。
また、本発明に係る通信システムは、前記判定手段は、前記検出手段にて検出された画像に対する接触の位置が移動していない場合、前記送信部は前記対応記憶データを前記通信装置に移動するように判定し、検出された画像に対する接触の位置が移動した場合、前記送信部は前記対応記憶データを前記通信装置に複写するように判定することを特徴とする。
【００１０】
本発明に係る通信システムは、前記情報処理装置は、前記送信部が前記対応記憶データを特定する特定データを前記通信装置に送信し、前記通信装置は、記憶部と、前記受信部が受信した特定データに対応するデータが前記記憶部に記憶されているか否かを判定する既記憶判定手段と、該特定データに対応するデータが前記記憶部に記憶されていると判定された場合、その旨を報知する報知手段とを備えることを特徴とする。
【００１１】
本発明に係る通信システムは、前記通信装置は、前記情報処理装置からの前記対応記憶データ又は複写データの受信開始又は受信終了の際、前記報知手段がその旨を報知するように構成されていることを特徴とする。
【００１２】
本発明に係る通信システムは、前記情報処理装置は、前記対応記憶データの量が所定の閾値以上であるか否かを判定するデータ量判定手段を備え、閾値以上である場合、前記送信部が、その旨を表すデータを前記通信装置に送信し、前記通信装置は、該データを受信した場合、前記報知手段がその旨を報知するように構成されていることを特徴とする。
【００１３】
本発明に係る通信システムは、前記情報処理装置は、前記通信装置が所定範囲内にあるか否かを判定する有無判定手段を備え、前記通信装置が所定範囲内にあると判定した場合、前記表示部は前記画像を表示するように構成されていることを特徴とする。
【００１４】
本発明に係る通信システムは、前記情報処理装置は、前記送信部が前記対応記憶データを特定する特定データを前記通信装置に送信し、前記通信装置は、記憶部と、前記受信部が受信した特定データに対応するデータが前記記憶部に記憶されているか否かを判定する既記憶判定手段と、該特定データに対応するデータが前記記憶部に記憶されていると判定された場合、その旨を報知する報知手段とを備えることを特徴とする。
【００１５】
本発明に係る通信システムは、前記通信装置は、前記情報処理装置からの前記対応記憶データ又は複写データの受信開始又は受信終了の際、前記報知手段がその旨を報知するように構成されていることを特徴とする。
【００１６】
本発明に係る通信システムは、前記情報処理装置は、前記対応記憶データの量が所定の閾値以上であるか否かを判定するデータ量判定手段を備え、閾値以上である場合、前記送信部が、その旨を表すデータを前記通信装置に送信し、前記通信装置は、該データを受信した場合、前記報知手段がその旨を報知するように構成されていることを特徴とする。
【００１７】
本発明にあっては、前記情報処理装置側では、記憶している記憶データを表す一又は複数の画像が前記表示部に表示され、前記検出手段が前記通信装置の前記表示部の表示面に表示された画像への接触及び接触位置を検出した場合、前記通信確立手段が斯かる通信装置と通信の確立を行い、前記判定手段が前記検出手段の検出結果に基づき、斯かる対応記憶データへの制御指示を判定し、前記送信部は、前記判定手段の判定結果に基づき、該対応記憶データを制御し、前記通信装置に送信する。この際、前記通信装置側では、前記受信部が、前記情報処理装置の送信部からの前記対応記憶データを受信する。
【００１８】
本発明にあっては、前記情報処理装置の送信部が前記対応記憶データを特定する特定データを前記通信装置に送信した場合、前記通信装置の受信部が該特定データを受信し、前記既記憶判定手段は受信された特定データに対応するデータが前記記憶部に記憶されているか否かを判定する。例えば、前記既記憶判定手段によって前記特定データに対応するデータが前記記憶部に記憶されていると判定された場合、報知手段がその旨を使用者に報知する。
【００１９】
本発明にあっては、前記通信装置では、前記受信部が前記情報処理装置から前記対応記憶データ又は複写データの受信を開始した場合、又は受信を終了した場合、前記報知手段がその旨を使用者に報知する。
【００２０】
本発明にあっては、前記情報処理装置のデータ量判定手段が前記対応記憶データの量が所定の閾値以上であるか否かを判定し、閾値以上であると判定した場合、前記送信部が、その旨を表すデータを前記通信装置に送信する。一方、前記通信装置では、前記受信部が該データを受信した場合、前記報知手段がその旨を使用者に報知する。
【００２１】
本発明にあっては、前記情報処理装置の有無判定手段が、前記通信装置が所定範囲内にあるか否かを判定し、前記通信装置が所定範囲内にあると判定した場合、前記表示部が前記画像を表示する。
【００２２】
本発明に係る情報処理装置は、処理すべきデータを記憶しており、外部装置とのデータ通信を行う情報処理装置において、記憶している記憶データを表す一又は複数の画像を表示する表示部と、前記表示部の表示面に表示された画像への接触及び接触位置を検出する検出手段と、前記外部装置と通信を確立する通信確立手段と、前記検出手段による検出結果に基づき、前記接触位置に表示された画像に対する接触の位置に応じて、該画像に対応する対応記憶データへの制御指示を判定する判定手段と、前記判定手段の判定結果に基づき、接触位置に係る画像に対応する対応記憶データを制御し、前記外部装置に送信する送信部とを備えることを特徴とする。
また、本発明に係る情報処理装置は、前記判定手段は、前記検出手段にて検出された画像に対する接触の位置が移動していない場合、前記送信部は前記対応記憶データを前記外部装置に移動するように判定し、検出された画像に対する接触の位置が移動した場合、前記送信部は前記対応記憶データを前記外部装置に複写するように判定することを特徴とする。
【００２３】
本発明に係る情報処理装置は、前記対応記憶データの量が所定の閾値以上であるか否かを判定するデータ量判定手段を備え、閾値以上である場合、前記送信部が、その旨を表すデータを前記外部装置に送信するように構成されていることを特徴とする。
【００２４】
本発明に係る情報処理装置は、前記外部装置が所定範囲内にあるか否かを判定する有無判定手段を備え、前記外部装置が所定範囲内にあると判定した場合、前記表示部は前記画像を表示するように構成されていることを特徴とする。
【００２５】
本発明に係る情報処理装置は、前記対応記憶データの量が所定の閾値以上であるか否かを判定するデータ量判定手段を備え、閾値以上である場合、前記送信部が、その旨を表すデータを前記外部装置に送信するように構成されていることを特徴とする。
【００２６】
本発明にあっては、記憶している記憶データを表す一又は複数の画像が表示部に表示され、前記検出手段が前記外部装置の前記表示部の表示面に表示された画像への接触及び接触位置を検出し、前記通信確立手段は斯かる外部装置と通信を確立する。前記判定手段が前記検出手段の検出結果に基づき、斯かる対応記憶データへの制御指示を判定し、前記送信部は、前記判定手段の判定結果に基づき、該対応記憶データを制御し、前記外部装置に送信する。
【００２７】
本発明にあっては、前記データ量判定手段が前記対応記憶データの量が所定の閾値以上であるか否かを判定し、閾値以上であると判定した場合、前記送信部がその旨を表すデータを前記外部装置に送信する。
【００２８】
本発明にあっては、前記有無判定手段によって前記外部装置が所定範囲内にあるか否かが判定され、前記外部装置が所定範囲内にあると判定された場合、前記表示部は前記画像を表示する。
【００２９】
本発明に係る通信装置は、前述の発明の何れか一つに記載の情報処理装置とデータ通信を行う通信装置において、記憶部と、前記対応記憶データを特定する特定データを受信する受信部と、該受信部が受信した特定データに対応するデータが前記記憶部に記憶されているか否かを判定する既記憶判定手段と、該特定データに対応するデータが前記記憶部に記憶されていると判定された場合、その旨を報知する報知手段とを備えることを特徴とする。
【００３０】
本発明に係る通信装置は、前記情報処理装置からの前記対応記憶データ又は複写データの受信開始又は受信終了の際、前記報知手段がその旨を報知するように構成されていることを特徴とする。
【００３１】
本発明にあっては、前記受信部が前記特定データを受信した場合、前記既記憶判定手段は前記受信部が受信した特定データに対応するデータが前記記憶部に記憶されているか否かを判定する。該特定データに対応するデータが前記記憶部に記憶されていると判定された場合、前記報知手段がその旨を使用者に報知する。
【００３２】
本発明にあっては、前記受信部が前記情報処理装置から前記対応記憶データ又は複写データの受信を開始した場合、又は受信を終了した場合、前記報知手段がその旨を使用者に報知する。
【００３３】
本発明に係る通信方法は、処理すべきデータを記憶しており、表示部と、該表示部の表示面に表示された画像への接触及び接触位置を検出する検出手段とを備える情報処理装置にて前記外部装置とデータを通信する通信方法において、記憶している記憶データを表す一又は複数の画像を前記表示部に表示するステップと、前記外部装置と通信を確立する通信確立ステップと、前記検出手段による検出結果に基づき、前記接触位置に表示された画像に対する接触の位置に応じて、該画像に対応する対応記憶データへの制御指示を判定する判定ステップと、前記判定ステップでの判定結果に基づき、接触位置に係る画像に対応する対応記憶データを制御し、前記外部装置に送信するステップとを含むことを特徴とする。
【００３４】
本発明に係るコンピュータプログラムは、処理すべきデータを記憶しており、表示部と、該表示部の表示面に表示された画像への接触及び接触位置を検出する検出手段とを備え、該外部装置とデータの通信を行う情報処理装置を構成するコンピュータに、データを通信させるコンピュータプログラムにおいて、コンピュータに、記憶している記憶データを表す一又は複数の画像を前記表示部に表示させるステップと、コンピュータに、前記外部装置と通信を確立させる通信確立ステップと、コンピュータに、前記検出手段による検出結果に基づき、前記接触位置に表示された画像に対する接触の位置に応じて、該画像に対応する対応記憶データへの制御指示を判定させる判定ステップと、コンピュータに、前記判定ステップでの判定結果に基づき、接触位置に係る画像に対応する記憶データを制御し、前記外部装置に送信させるステップとを実行させることを特徴とする。
【００３５】
本発明にあっては、記憶している記憶データを表す一又は複数の画像を表示部に表示し、前記検出手段が前記外部装置の前記表示部の表示面に表示された画像への接触及び接触位置を検出した場合、斯かる外部装置と通信が確立され、前記検出手段の検出結果に基づき、斯かる対応記憶データへの制御指示が判定され、該判定結果に基づき、該対応記憶データが制御され、前記外部装置に送信される。
【００３６】
本発明に係る記録媒体は、前述の発明のコンピュータプログラムを記録してあることを特徴とする。
【００３７】
本発明にあっては、前記記録媒体に前述のコンピュータプログラムを記録する。コンピュータが前記記録媒体からコンピュータプログラムを読み出して、前述の通信システム、情報処理装置、通信装置及び通信方法がコンピュータにより実現される。
【発明の効果】
【００３８】
本発明によれば、前記通信装置を前記表示部の画像に接触させるのみで、送信すべき記憶データの選択及び送信先の選択が共に行われる上に、斯かる選択の操作が直観的に行われ、かつ、この際、選択された記憶データを送信するか、又は該記憶データの複写データを送信するかまでもが定められるので、使用者の操作負担を大幅に省くことができる。
【図面の簡単な説明】
【００３９】
【図１】本発明の実施の形態１に係る通信システムの概念図である。
【図２】本発明の実施の形態１に係る通信システムの要部構成を示す機能ブロック図である。
【図３】本発明の実施の形態１の実施例１における、デジタル複合機及びメモリデバイスの間のデータ通信を説明するフローチャートである。
【図４】本発明の実施の形態１の実施例１における、アイコンの表示及び接触操作の一例を示す例示図である。
【図５】本発明の実施の形態１の実施例２における、デジタル複合機及びメモリデバイスの間のデータ通信を説明するフローチャートである。
【図６】本発明の実施の形態１の実施例３における、デジタル複合機及びメモリデバイスの間のデータ通信を説明するフローチャートである。
【図７】本発明の実施の形態１の実施例３における、デジタル複合機及びメモリデバイスの間のデータ通信を説明するフローチャートである。
【図８】本発明の実施の形態２に係る通信システムの要部構成を示す機能ブロック図である。
【図９】本発明の実施の形態２の実施例１における、デジタル複合機及びメモリデバイスの間のデータ通信を説明するフローチャートである。
【図１０】本発明の実施の形態２の実施例１における、決定受付画面及びその操作の一例を示す例示図である。
【図１１】本発明の実施の形態２の実施例２における、デジタル複合機及びメモリデバイスの間のデータ通信を説明するフローチャートである。
【図１２】本発明の実施の形態２の実施例３における、デジタル複合機及びメモリデバイスの間のデータ通信を説明するフローチャートである。
【図１３】本発明の実施の形態２の実施例３における、デジタル複合機及びメモリデバイスの間のデータ通信を説明するフローチャートである。
【図１４】本発明の実施の形態３に係るデジタル複合機の要部構成を示す機能ブロック図である。
【発明を実施するための形態】
【００４０】
以下に、本発明の実施の形態に係る情報処理装置及び通信装置を、デジタル複合機及びメモリデバイスに夫々適用して、本発明の実施の形態に係る通信システムについて、図面に基づき詳しく説明する。
【００４１】
（実施の形態１）
図１は本発明の実施の形態１に係る通信システムの概念図であり、図２は本発明の実施の形態１に係る通信システムの要部構成を示す機能ブロック図である。実施の形態１に係る通信システムはデジタル複合機１００（情報処理装置）と、メモリデバイス２００（通信装置）とを有する。
【００４２】
デジタル複合機１００は、制御部２０、ＣＰＵ１、ＲＯＭ２、ＲＡＭ３、画像入力部４、画像出力部５、タッチパネル６（検出手段）、画像処理部７、操作パネル８、表示部９、表示制御部１０、記憶部１１及び近距離通信部１２等のハードウェアを備え、全体としてデジタル複合機１００を構成している。
【００４３】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００４４】
ＣＰＵ１は、ＲＯＭ２に予め格納されている制御プログラムをＲＡＭ３上にロードして実行することによって、バス（図示せず）を介して上記の各種ハードウェアの制御を行い、装置全体を本発明のデジタル複合機１００として動作させる。
【００４５】
画像入力部４は、原稿の画像を光学的に読み取る読取手段であり、読取用の原稿に光を照射する光源、例えばＣＣＤ（Charge Coupled Device）のようなイメージセンサ等を備えている。画像入力部４では、所定の読み取り位置にセットされた原稿からの反射光像を当該イメージセンサに結像させ、ＲＧＢ（R : Red, G : Green, B : Blue）のアナログ電気信号を出力する。画像入力部４が出力したアナログ電気信号は画像処理部７に入力される。
【００４６】
画像出力部５は、画像処理部７から出力される画像データに基づいて用紙、ＯＨＰフィルム等のシート上に画像形成を行う。そのため、画像出力部５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて使用者が所望する画像をシート上に形成する。なお、レーザ書込装置を用いた電子写真方式により画像形成を行う他、インクジェット方式、熱転写方式、昇華方式等により画像形成を行う構成であってもよい。
【００４７】
タッチパネル６は、表示部９の表示面を覆うように設けられている。タッチパネル６は表示部９の表示面への接触を検出し、該接触の位置を特定するので、使用者から所定の指示を受け付けることができる。
【００４８】
詳しくは、使用者の指先等のタッチ操作、又はメモリデバイス２００との接触による圧力の変化を検知し、又は静電気による電気信号を検知して、使用者の指先又はメモリデバイス２００との接触点の表示部９の表示面上の座標を検出し、該座標を特定する信号を発生する。タッチパネル６が検出した接触に係る位置（座標）を特定する信号はＣＰＵ１及び制御部２０に送出される。
【００４９】
例えば、制御部２０は、タッチパネル６から前記信号（座標）を取得して、表示部９に表示されている後述するファイルのアイコンの内、該座標に対応する位置のアイコンが操作されたものと認識できる。
【００５０】
更に、ＣＰＵ１は、タッチパネル６からの信号に基づき、該接触がタッチであるか、フリックであるか、ドラッグであるか判定できる。
【００５１】
画像処理部７は、例えば、画像入力部４を通じて入力されるアナログ電気信号を基にデジタル形式の画像データを生成し、画像の種類に応じた処理を施した後、出力用の画像データを生成する。生成した画像データは画像出力部５又は近距離通信部１２に出力される。
【００５２】
操作パネル８は、ユーザの指示を受け付けるための各種ボタン、指示の確定を受け付けるエンターキー、テンキー等を備えている。
【００５３】
表示部９は、例えば、ＬＣＤ又はＥＬ（Electroluminescence）パネル等からなり、前記ファイルのアイコン、選択受付画面等、使用者に対して報知すべき情報が表示される。また、表示部９の表示面を覆うようにタッチパネル６が設けられている。
【００５４】
表示制御部１０は、ＤＳＰ（Digital Signal Processor）のようなプロセッサにより構成され、表示部９への画像表示を制御する。また、表示制御部１０は、画像入力部４によって読み取られた画像データのファイル、又は記憶部１１に記憶されているデータのファイルを表すアイコン（画像）を表示部９に表示する。
【００５５】
記憶部１１は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部１１には、例えば、画像入力部４を介して入力（読取）された画像データが所定のファイル名毎に記憶される。また、記憶部１１には、後述する容量判定のための閾値が記憶されている。
【００５６】
近距離通信部１２は、数ｃｍから数ｍまでのデータの送受信が可能な通信手段である。近距離通信部１２は、例えば、ブルートゥース（登録商標）、ＩＥＥＥ８０２．１１、非接触方式の通信方式（ＲＦＩＤ（Radio Frequency Identification)システム）又はトランスファージェット（登録商標）に対応するものである。以下の説明においては、近距離通信部１２がブルートゥース（登録商標）に対応するものである場合を例として説明する。
【００５７】
また、近距離通信部１２は、送受信相手との接続確立のために行うペアリングの際、所定範囲内における、ブルートゥース対応デバイスを検索し、検索されたデバイスが複数である場合は、最も近いデバイスと通信を確立するように構成されている。
【００５８】
制御部２０は、上述したハードウェアを制御し、本発明の通信システムに係るデータ送受信の処理を行う。また、制御部２０はデータ量判定部２１及び通信確立制御部２２を有している。データ量判定部２１は、メモリデバイス２００に送信すべきデータとして選択されたデータのデータ量が、記憶部１１に記憶されている所定の閾値以上であるか否かを判定する。
【００５９】
また、通信確立制御部２２は、特定時に、近距離通信部１２によるペアリングを制御する。例えば、通信確立制御部２２は、前記ファイルのアイコンへの接触があった場合、ペアリングを行って、最も近いデバイスと通信を確立するように、近距離通信部１２に指示する。
【００６０】
一方、メモリデバイス２００は、使用者が手に握ることが出来る大きさを有する、直方体形状であり、装置全体を制御するＣＰＵ（図示せず）を有する制御部３０と、記憶部４０と、決定受付ボタン５０と、近距離通信部６０と、振動部７０（報知手段）とを備えている。
【００６１】
制御部３０は、既記憶判定部３１及び続行判定部３２を備えている。
既記憶判定部３１は、近距離通信部６０がデジタル複合機１００から所定のファイル名を受信した場合、記憶部４０に記憶されているファイル名と比較することにより、該ファイル名に対応するファイルが既に記憶されているか否かを判定する。
【００６２】
続行判定部３２は、デジタル複合機１００から受信すべきファイルが大量である旨のデータを近距離通信部６０が受信した場合、該ファイルの受信を続行するか否かの判定を行う。
【００６３】
詳しくは、デジタル複合機１００から受信すべきファイルが大量である旨のデータを近距離通信部６０が受信した場合、振動部７０が振動し、使用者にその旨を報知する。この後、続行判定部３２は決定受付ボタン５０を監視し、決定受付ボタン５０が操作された場合、斯かるファイルの受信を続行すると判定する。
【００６４】
記憶部４０は、例えば、フラッシュメモリであり、近距離通信部６０を介してデジタル複合機１００から受信するデータと、そのファイル名とを関連付けて記憶する。
【００６５】
近距離通信部６０は、デジタル複合機１００の近距離通信部１２と同様に、数ｃｍから数ｍまでのデータの送受信が可能な通信手段である。近距離通信部６０は、例えば、ブルートゥース（登録商標）、ＩＥＥＥ８０２．１１、非接触方式の通信方式（ＲＦＩＤ（Radio Frequency Identification)システム）又はトランスファージェット（登録商標）に対応するものである。以下の説明においては、近距離通信部１２がブルートゥース（登録商標）に対応するものである場合を例として説明する。
【００６６】
振動部７０は、振動を発するバイブレータを備えており、電源（図示せず）によって振動して各種イベントを使用者に報知する。また、振動部７０による振動のパターンは複数であり、制御部３０のＣＰＵによって制御される。
【００６７】
詳しくは、近距離通信部６０がデジタル複合機１００から所定のファイルの受信を開始する場合、該ファイルの受信が終了した場合、既記憶判定部３１によって斯かるファイルが記憶部４０に既に記憶されている判定された場合、デジタル複合機１００から受信すべきファイルが大量である旨のデータを近距離通信部６０が受信した場合等のイベントの際に振動部７０は振動し、その旨を振動にて使用者に報知する。斯かる際、制御部３０は、当該イベント毎に振動部７０の振動パターンを異にする。
【００６８】
決定受付ボタン５０は、デジタル複合機１００から受信すべきファイルが大量である旨のデータを近距離通信部６０が受信した場合、該ファイルの受信を続行するか否かの決定を使用者から受け付ける。斯かる際、当該ファイルの受信の続行を望む使用者は決定受付ボタン５０を押圧する操作により、ファイル受信の続行を決定する。
【００６９】
以下、本発明の実施の形態１に係る通信システムにおける、データの送受信について、デジタル複合機１００及びメモリデバイス２００の間のデータ送受信を例として説明する。
【００７０】
（実施例１）
図３は本発明の実施の形態１の実施例１における、デジタル複合機１００及びメモリデバイス２００の間のデータ通信を説明するフローチャートである。
【００７１】
まず、使用者は原稿を画像入力部４の原稿台に載置し、操作パネル８を操作して該原稿の読み取りを指示する。ＣＰＵ１は操作パネル８を介して読み取りの指示を受け付け、画像入力部４に原稿画像の読取を指示する。画像入力部４は、ＣＰＵ１の指示に応じて該原稿の画像を読み取る（ステップＳ１０１）。画像入力部４によって読み取られた原稿の画像データは、所定のファイル名が付され、記憶部１１に記憶される。
【００７２】
次いで、表示制御部１０は、画像入力部４によって読み取られた原稿の画像データのファイルを表すアイコン（画像）を表示部９に表示する（ステップＳ１０２）。図４は本発明の実施の形態１の実施例１における、アイコンＦの表示及び接触操作の一例を示す例示図である。
【００７３】
画像入力部４によって読み取られた原稿の画像データをメモリデバイス２００に送信したい使用者は、メモリデバイス２００で表示部９に表示されたアイコンＦを接触する操作を行う。すなわち、使用者は、メモリデバイス２００を手に持って、メモリデバイス２００の所定部分にてアイコンＦを接触する。
【００７４】
この際、ＣＰＵ１は、タッチパネル６を監視することにより、換言すれば、タッチパネル６からの信号に基づき、表示部９の表示面への接触があったか否かを判定する（ステップＳ１０３）。
【００７５】
一方、本発明の実施の形態１の実施例１に係るデジタル複合機１００においては、使用者による接触操作の形態によって、異なる処理を行うように構成されている。すなわち、使用者の接触操作としては、タッチ操作、フリック操作、ドラッグ操作等が想定でき、夫々の接触操作の際、異なる指示として受け付ける。
【００７６】
ＣＰＵ１は表示部９の表示面への接触がないと判定した場合（ステップＳ１０３：ＮＯ）、表示部９の表示面への接触があるまで該判定を繰り返す。
【００７７】
また、ＣＰＵ１は表示部９の表示面への接触があったと判定した場合（ステップＳ１０３：ＹＥＳ）、該接触がタッチ操作であるか否かを判定する（ステップＳ１０４）。該判定は、例えば、メモリデバイス２００と表示部９の表示面の接触点の移動如何に基づいて判定される。
【００７８】
すなわち、図４に示すように、タッチ操作においては、メモリデバイス２００と表示部９の表示面の接触点（Ｐ１）の移動はないが、フリック操作、ドラッグ操作等においては、該接触点の移動（Ｐ１からＰ２へ）が生じるので、これに基づき、ＣＰＵ１は前記判定を行う。
【００７９】
ＣＰＵ１は表示部９の表示面への接触がタッチ操作であると判定した場合（ステップＳ１０４：ＹＥＳ）、該タッチ操作に係る位置のアイコンＦに対応するデータファイルを送受信相手に移動させる指示を受け付ける。従って、ＣＰＵ１は、アイコンＦに対応する原稿の画像データのファイル（対応記憶データ）を近距離通信部１２に送り、送受信相手（メモリデバイス２００）に送信するように指示する。
【００８０】
この際、通信確立制御部２２は、近距離通信部１２がペアリングを行って、最も近いデバイスと通信を確立するように制御する。すなわち、近距離通信部１２は、通信を確立すべき送受信相手を検索し、ペアリングを行う。このとき、上述したように、メモリデバイス２００が最も近い位置に存在するので、該検索によってメモリデバイス２００（近距離通信部６０）が検索される。近距離通信部１２は近距離通信部６０とペアリングを行い、通信を確立する（ステップＳ１０５）。以降、近距離通信部１２は前記画像データのファイルを通信が確立された近距離通信部６０に送信する（ステップＳ１０６）。
【００８１】
また、使用者によるフリック操作又はドラッグ操作から、前記接触点がＰ１からＰ２へ移動した場合は、ＣＰＵ１は表示部９の表示面への接触がタッチ操作でないと判定する（ステップＳ１０４：ＮＯ）。斯かる際、ＣＰＵ１は、該接触操作に係る位置のアイコンＦに対応するデータファイルの複写データを送受信相手に移動させる指示を受け付ける。従って、ＣＰＵ１は、アイコンＦに対応する原稿の画像データのファイル（対応記憶データ）を複写した複写データを生成して該複写データを近距離通信部１２に送り、送受信相手（メモリデバイス２００）に送信するように指示する。
【００８２】
この際、通信確立制御部２２が近距離通信部１２を制御し、上述したように、近距離通信部１２の送受信相手の検索によってメモリデバイス２００（近距離通信部６０）が検索され、近距離通信部１２は近距離通信部６０とペアリングを行い、通信を確立する（ステップＳ１０７）。以降、近距離通信部１２は前記画像データのファイルの複写データを通信が確立された近距離通信部６０に送信する（ステップＳ１０８）。
【００８３】
一方、ステップＳ１０５又はステップＳ１０７にて、近距離通信部１２が通信を確立すべき接続相手の検索に失敗した場合、すなわち、通信可能な範囲内にメモリデバイス２００が存在しない場合が想定できる。このような場合、斯かるタッチ操作に係る位置のアイコンＦに対応するデータファイルを送受信相手に移動させる指示として受け付けずに、該ファイルを選択する指示として受け付ける。
【００８４】
以上の記載においては、アイコンＦが１つである場合を例として説明したが、これに限るものでない。例えば、アイコンＦが複数である場合においても、当該接触操作に係る位置のアイコンＦに対応するデータファイルに対して、上述したような処理が行われる。
【００８５】
以上のように、本発明においては、使用者がメモリデバイス２００を手に持って、メモリデバイス２００の所定部分を表示部９に表示されたアイコンＦに接触させる。すなわち、送信の対象たるファイル（ファイルＦ）を、その送信先（メモリデバイス２００）を用いて選択（接触）するので、斯かる送信の処理における、送信対象ファイル及び送信先の選択が直観的に行われる。
【００８６】
更に、この接触操作によって、直後のペアリングにおいて、最近距離であるメモリデバイス２００が送受信相手として決定されるので、送信先の選択において、誤操作が生じることを防止できる。
【００８７】
（実施例２）
図５は本発明の実施の形態１の実施例２における、デジタル複合機１００及びメモリデバイス２００の間のデータ通信を説明するフローチャートである。説明の便宜上、使用者による接触操作がタッチである場合を例に説明する。
【００８８】
まず、使用者は原稿を画像入力部４の原稿台に載置し、操作パネル８を操作して該原稿の読み取りを指示する。ＣＰＵ１は操作パネル８を介して読み取りの指示を受け付け、画像入力部４に原稿画像の読取を指示する。画像入力部４は、ＣＰＵ１の指示に応じて該原稿の画像を読み取る（ステップＳ２０１）。画像入力部４によって読み取られた原稿の画像データは、所定のファイル名が付され、記憶部１１に記憶される。
【００８９】
次いで、表示制御部１０は、画像入力部４によって読み取られた原稿の画像データのファイルを表すアイコン（画像）を表示部９に表示する（ステップＳ２０２）（図４参照）。
【００９０】
画像入力部４によって読み取られた原稿の画像データをメモリデバイス２００に送信したい使用者は、メモリデバイス２００で表示部９に表示されたアイコンＦを接触する操作を行う。
【００９１】
この際、ＣＰＵ１は、タッチパネル６を監視することにより、換言すれば、タッチパネル６からの信号に基づき、表示部９の表示面への接触があったか否かを判定する（ステップＳ２０３）。
【００９２】
ＣＰＵ１は表示部９の表示面への接触がないと判定した場合（ステップＳ２０３：ＮＯ）、表示部９の表示面への接触があるまで該判定を繰り返す。一方、ＣＰＵ１は表示部９の表示面への接触があったと判定した場合（ステップＳ２０３：ＹＥＳ）、上述したように、該接触がタッチ操作であることから、該タッチ操作に係る位置のアイコンＦに対応するデータファイルを送受信相手に移動させる指示を受け付ける。
【００９３】
従って、ＣＰＵ１は、アイコンＦに対応する原稿の画像データのファイル（対応記憶データ）及びファイル名（特定データ）を近距離通信部１２に送り、送受信相手（メモリデバイス２００）にこれらを送信するように近距離通信部１２に指示する。
【００９４】
この際、通信確立制御部２２は、近距離通信部１２がペアリングを行って、最も近いデバイスと通信を確立するように制御する。すなわち、近距離通信部１２は、通信を確立すべき送受信相手を検索し、ペアリングを行う。このとき、上述したように、メモリデバイス２００が最も近い位置に存在するので、該検索によってメモリデバイス２００（近距離通信部６０）が検索される。近距離通信部１２は近距離通信部６０とペアリングを行い、通信を確立する（ステップＳ２０４）。
【００９５】
次いで、近距離通信部１２は、前記ファイル名を近距離通信部６０に送信する（ステップＳ２０５）。
【００９６】
この際、メモリデバイス２００の近距離通信部６０が、デジタル複合機１００の近距離通信部１２から前記ファイル名を受信する（ステップＳ３０１）。
【００９７】
近距離通信部６０が前記ファイル名を受信した場合、メモリデバイス２００の既記憶判定部３１は、該ファイル名と同じファイル名が記憶部４０に記憶されているか検索する。斯かる検索の結果に基づき、既記憶判定部３１は該ファイル名によって特定されるファイル（データ）が記憶部４０に既に記憶されているか否かを判定する（ステップＳ３０２）。
【００９８】
既記憶判定部３１が前記ファイル名によって特定されるファイルが記憶部４０に既に記憶されていると判定した場合（ステップＳ３０２：ＹＥＳ）、制御部３０は振動部７０を振動させて、前記ファイル名によって特定されるファイルが記憶部４０に既記憶のファイルである旨を使用者に報知して（ステップＳ３０３）、処理を終了する。
【００９９】
また、既記憶判定部３１が前記ファイル名によって特定されるファイルが記憶部４０に記憶されていないと判定した場合（ステップＳ３０２：ＮＯ）、制御部３０は、前記ファイル名によって特定されるファイルの送信を要求する旨のデータを生成し、該データをデジタル複合機１００に送信するよう、近距離通信部６０に指示する。制御部３０の指示に応じて、近距離通信部６０は、前記ファイルの送信を要求する旨のデータをデジタル複合機１００に送信する（ステップＳ３０４）。
【０１００】
この際、デジタル複合機１００の近距離通信部１２は、斯かるデータをメモリデバイス２００から受信する（ステップＳ２０６）。また、ＣＰＵ１は、前記ファイル名によって特定されるデータのファイル、すなわち、アイコンＦに対応する原稿の画像データのファイルを近距離通信部１２に送り、メモリデバイス２００に送るように指示する。
【０１０１】
ＣＰＵ１の指示に応じて、近距離通信部１２はアイコンＦに対応する原稿の画像データのファイルをメモリデバイス２００に送信する（ステップＳ２０７）。
【０１０２】
この際、メモリデバイス２００の近距離通信部６０が斯かるファイルの受信を開始し（ステップＳ３０５）、制御部３０はステップＳ３０３とは異なるパターンにて振動部７０を振動させて、デジタル複合機１００から斯かるファイルの受信を開始した旨を使用者に報知する（ステップＳ３０６）。
【０１０３】
一方、所定時間経過後、デジタル複合機１００の近距離通信部１２による当該ファイルの送信が終了した場合、デジタル複合機１００のＣＰＵ１は、ファイルの送信が終了した旨のデータを生成して近距離通信部１２に送り、メモリデバイス２００に送信するよう指示する。ＣＰＵ１の指示に応じて、近距離通信部１２はファイルの送信が終了した旨のデータをメモリデバイス２００に送信する（ステップＳ２０８）。
【０１０４】
この際、メモリデバイス２００の近距離通信部６０が該データを受信し、制御部３０はステップＳ３０３及びステップＳ３０６とは異なるパターンにて振動部７０を振動させて、デジタル複合機１００からのファイル受信が終了した旨を使用者に報知する（ステップＳ３０７）。
【０１０５】
以上の記載においては、振動部７０の振動を用いて使用者に報知する場合を例として説明したが、これに限るものでない。例えば、ＬＥＤを設け、発光パターン又は発光色を異にすることによって報知を行うように構成しても良い。
【０１０６】
なお、以上の記載においては、データファイルを特定するものとしてファイル名を用いる場合を例として説明したが、これに限るものでなく、データ量、作成日時等を用いるように構成しても良い。
【０１０７】
（実施例３）
図６及び図７は本発明の実施の形態１の実施例３における、デジタル複合機１００及びメモリデバイス２００の間のデータ通信を説明するフローチャートである。説明の便宜上、使用者による接触操作がタッチである場合を例に説明する。
【０１０８】
まず、使用者は原稿を画像入力部４の原稿台に載置し、操作パネル８を操作して該原稿の読み取りを指示する。ＣＰＵ１は操作パネル８を介して読み取りの指示を受け付け、画像入力部４に原稿画像の読取を指示する。画像入力部４は、ＣＰＵ１の指示に応じて該原稿の画像を読み取る（ステップＳ４０１）。画像入力部４によって読み取られた原稿の画像データは、所定のファイル名が付され、記憶部１１に記憶される。
【０１０９】
次いで、表示制御部１０は、画像入力部４によって読み取られた原稿の画像データのファイルを表すアイコン（画像）を表示部９に表示する（ステップＳ４０２）（図４参照）。
【０１１０】
画像入力部４によって読み取られた原稿の画像データをメモリデバイス２００に送信したい使用者は、メモリデバイス２００で表示部９に表示されたアイコンＦを接触する操作を行う。
【０１１１】
この際、ＣＰＵ１は、タッチパネル６を監視することにより、換言すれば、タッチパネル６からの信号に基づき、表示部９の表示面への接触があったか否かを判定する（ステップＳ４０３）。
【０１１２】
ＣＰＵ１は表示部９の表示面への接触がないと判定した場合（ステップＳ４０３：ＮＯ）、表示部９の表示面への接触があるまで該判定を繰り返す。一方、ＣＰＵ１は表示部９の表示面への接触があったと判定した場合（ステップＳ４０３：ＹＥＳ）、上述したように、該接触がタッチ操作であることから、該タッチ操作に係る位置のアイコンＦに対応するデータファイルを送受信相手に移動させる指示を受け付ける。
【０１１３】
従って、ＣＰＵ１は、アイコンＦに対応する原稿の画像データのファイル（対応記憶データ）及びファイル名（特定データ）を近距離通信部１２に送り、送受信相手（メモリデバイス２００）にこれらを送信するように近距離通信部１２に指示する。
【０１１４】
この際、通信確立制御部２２は、近距離通信部１２がペアリングを行って、最も近いデバイスと通信を確立するように制御する。このとき、上述したように、メモリデバイス２００が最も近い位置に存在するので、近距離通信部１２の送受信相手の検索によってメモリデバイス２００（近距離通信部６０）が検索される。近距離通信部１２は近距離通信部６０とペアリングを行い、通信を確立する（ステップＳ４０４）。
【０１１５】
次いで、近距離通信部１２は、前記ファイル名を近距離通信部６０に送信する（ステップＳ４０５）。
【０１１６】
この際、メモリデバイス２００の近距離通信部６０が、デジタル複合機１００の近距離通信部１２から前記ファイル名を受信する（ステップＳ５０１）。
【０１１７】
近距離通信部６０が前記ファイル名を受信した場合、メモリデバイス２００の既記憶判定部３１は、該ファイル名と同じファイル名が記憶部４０に記憶されているか検索する。斯かる検索の結果に基づき、既記憶判定部３１は該ファイル名によって特定されるファイル（データ）が記憶部４０に既に記憶されているか否かを判定する（ステップＳ５０２）。
【０１１８】
既記憶判定部３１が前記ファイル名によって特定されるファイルが記憶部４０に既に記憶されていると判定した場合（ステップＳ５０２：ＹＥＳ）、制御部３０は振動部７０を振動させて、前記ファイル名によって特定されるファイルが記憶部４０に既記憶のファイルである旨を使用者に報知して（ステップＳ５０３）、処理を終了する。
【０１１９】
また、既記憶判定部３１が前記ファイル名によって特定されるファイルが記憶部４０に記憶されていないと判定した場合（ステップＳ５０２：ＮＯ）、制御部３０は、前記ファイル名によって特定されるファイルの送信を要求する旨のデータを生成し、該データをデジタル複合機１００に送信するよう、近距離通信部６０に指示する。制御部３０の指示に応じて、近距離通信部６０は、前記ファイルの送信を要求する旨のデータをデジタル複合機１００に送信する（ステップＳ５０４）。
【０１２０】
この際、デジタル複合機１００の近距離通信部１２は、斯かるデータをメモリデバイス２００から受信する（ステップＳ４０６）。
【０１２１】
次いで、データ量判定部２１は、前記ファイル名によって特定されるデータのファイル、すなわち、アイコンＦに対応する原稿の画像データのファイルのデータ量（以下、ファイルの量に略する。）が所定の閾値以上であるか否かを判定する（ステップＳ４０７）。
【０１２２】
データ量判定部２１がアイコンＦに対応する原稿の画像データのファイルの量が所定の閾値以上であると判定した場合（ステップＳ４０７：ＹＥＳ）、ＣＰＵ１は、アイコンＦに対応する原稿の画像データのファイルが大量である旨のデータを生成して近距離通信部１２に送り、メモリデバイス２００に送信するよう指示する。ＣＰＵ１の指示に応じて、近距離通信部１２はアイコンＦに対応する原稿の画像データのファイルが大量である旨のデータ（以下、大量報知データと言う。）をメモリデバイス２００に送信する（ステップＳ４０８）。
【０１２３】
この際、メモリデバイス２００の制御部３０は近距離通信部６０を監視することにより、デジタル複合機１００からの前記大量報知データの受信があったか否かを判定する（ステップＳ５０５）。
【０１２４】
例えば、所定時間の間、前記大量報知データの受信がなかった場合、制御部３０はデジタル複合機１００からの前記大量報知データの受信がなかったと判定し（ステップＳ５０５：ＮＯ）、ステップＳ５０８に移動する。
【０１２５】
一方、メモリデバイス２００の近距離通信部６０が前記大量報知データを受信した場合、制御部３０は前記大量報知データの受信があったと判定する（ステップＳ５０５：ＹＥＳ）。次いで、制御部３０はステップＳ５０３と異なるパターンにて振動部７０を振動させて、アイコンＦに対応する原稿の画像データのファイルが大量である旨を使用者に報知する（ステップＳ５０６）。
【０１２６】
該報知を受けた使用者は、以降、該ファイルの受信を続行するか否かの決定を行う。例えば、該ファイルの受信を続行すると決定した場合、決定受付ボタン５０を押圧する操作を行う。
【０１２７】
すなわち、制御部３０は、決定受付ボタン５０を監視することにより、当該ファイルの受信を続行するか否かの判定を行う（ステップＳ５０７）。使用者が、所定時間の間、決定受付ボタン５０を操作しなかった場合、制御部３０はファイルの受信を続行しないと判定し（ステップＳ５０７：ＮＯ）、処理は終了する。
【０１２８】
一方、使用者が決定受付ボタン５０を操作したことで、制御部３０がファイルの受信を続行すると判定した場合（ステップＳ５０７：ＹＥＳ）、又はステップＳ５０５にて、制御部３０が前記大量報知データの受信がなかったと判定した場合、制御部３０は、ファイルの送信開始を要求する旨のデータを生成し、該データをデジタル複合機１００に送信するよう、近距離通信部６０に指示する。制御部３０の指示に応じて、近距離通信部６０は、前記ファイルの送信開始を要求する旨のデータをデジタル複合機１００に送信する（ステップＳ５０８）。
【０１２９】
一方、デジタル複合機１００側においては、データ量判定部２１がアイコンＦに対応する原稿の画像データのファイルの量が所定の閾値以上でないと判定した場合（ステップＳ４０７：ＮＯ）、又はステップＳ４０８にて大量報知データをメモリデバイス２００に送信した後、メモリデバイス２００から前記送信開始の要求が送信されるまで待機する。
【０１３０】
斯かる際、デジタル複合機１００のＣＰＵ１は近距離通信部１２を監視することにより、メモリデバイス２００から前記送信開始の要求があったか否かを判定する（ステップＳ４０９）。
【０１３１】
ＣＰＵ１はメモリデバイス２００から送信開始の要求がないと判定した場合（ステップＳ４０９：ＮＯ）、該送信開始の要求が受信されるまで、該判定を繰り返す。
【０１３２】
一方、ＣＰＵ１はメモリデバイス２００から送信開始の要求があったと判定した場合（ステップＳ４０９：ＹＥＳ）、アイコンＦに対応する原稿の画像データのファイルを近距離通信部１２に送り、メモリデバイス２００に送るように指示する。
【０１３３】
ＣＰＵ１の指示に応じて、近距離通信部１２はアイコンＦに対応する原稿の画像データのファイルをメモリデバイス２００に送信する（ステップＳ４１０）。
【０１３４】
この際、メモリデバイス２００の近距離通信部６０が斯かるファイルの受信を開始し（ステップＳ５０９）、制御部３０はステップＳ５０３及びステップＳ５０６とは異なるパターンにて振動部７０を振動させて、デジタル複合機１００から斯かるファイルの受信を開始した旨を使用者に報知する（ステップＳ５１０）。
【０１３５】
一方、所定時間経過後、デジタル複合機１００の近距離通信部１２による当該ファイルの送信が終了した場合、デジタル複合機１００のＣＰＵ１は、ファイルの送信が終了した旨のデータを生成して近距離通信部１２に送り、メモリデバイス２００に送信するよう指示する。ＣＰＵ１の指示に応じて、近距離通信部１２はファイルの送信が終了した旨のデータをメモリデバイス２００に送信する（ステップＳ４１１）。
【０１３６】
この際、メモリデバイス２００の近距離通信部６０が該データを受信し、制御部３０はステップＳ５０３、ステップＳ５０６及びステップＳ５１０とは異なるパターンにて振動部７０を振動させて、デジタル複合機１００からのファイル受信が終了した旨を使用者に報知する（ステップＳ５１１）。
【０１３７】
（実施の形態２）
図８は本発明の実施の形態２に係る通信システムの要部構成を示す機能ブロック図である。実施の形態２に係る通信システムはデジタル複合機１００（情報処理装置）と、メモリデバイス２００（通信装置）とを有する。
【０１３８】
実施の形態２における、デジタル複合機１００及びメモリデバイス２００の構成は、実施の形態１と同様であるが、デジタル複合機１００の制御部２０の構成が異なる。
【０１３９】
制御部２０は、実施の形態１と同様にデータ量判定部２１及び通信確立制御部２２を有しており、その他、有無判定部２３を更に有している。
【０１４０】
有無判定部２３はメモリデバイス２００が所定の範囲内にあるか否かを判定する。該判定は、近距離通信部１２と、メモリデバイス２００の近距離通信部６０との送受信可否に基づいて行われる。
【０１４１】
例えば、実施の形態２における、デジタル複合機１００の近距離通信部１２と、メモリデバイス２００近距離通信部６０とがいわゆる非接触方式の通信方式（ＲＦＩＤ（Radio Frequency Identification)システム）を用いるものである場合、これらの送受信可否から、有無判定部２３は斯かる判断を行うことができる。
【０１４２】
例えば、デジタル複合機１００の近距離通信部１２がいわゆる接触・非接触ＩＣカードとしての役割をなし、メモリデバイス２００の近距離通信部６０がいわゆるリーダライタとしての役割をなすと共に、これらがいわゆる静電結合方式又は電磁結合方式を用いるように構成する。この場合、リーダライタ（近距離通信部６０）からは常時起動信号（電磁波）が送信されており、接触・非接触ＩＣカード（近距離通信部１２）及びリーダライタ（近距離通信部６０）が、互いに通信することが可能な程度（数ｍｍ〜数ｃｍ）にまで接近した場合に、接触・非接触ＩＣカード（近距離通信部１２）がリーダライタ（近距離通信部６０）から送出された電磁波を受信する。接触・非接触ＩＣカード（近距離通信部１２）は、前記電磁波を受信した場合、該電磁波の搬送波を整流して直流電源を生成し、それで内部回路を駆動させる。そして、接触・非接触ＩＣカード（近距離通信部１２）は、振幅変調を行い、前記起動信号に応じて応答信号をリーダライタ（近距離通信部６０）に送出する。
【０１４３】
従って、有無判定部２３は、近距離通信部１２による前記電磁波の受信如何、又は内部回路の駆動如何等を監視することにより、近距離通信部６０、すなわち、メモリデバイス２００が所定の範囲内（数ｍｍ〜数ｃｍ）にあるか否かを判定することができる。
【０１４４】
有無判定部２３によってメモリデバイス２００が所定の範囲内にあると判定された場合、表示制御部１０は決定受付画面を表示部９に表示する。該決定受付画面は、記憶部１１に既に記憶されているファイルを表すアイコンをそのファイル名と共に表示したものである。使用者は、該決定受付画面に表示されたアイコンの中から、メモリデバイス２００に移動又は複写したい対象のファイルを、実施の形態１と同様に、メモリデバイス２００を用いて接触する操作にて決定し、該接触の位置に係るファイルが対象のファイルとして決定される。
【０１４５】
上述した「所定の範囲」は、以上の記載に限るものでなく、前記ＲＦＩＤシステムに用いられる方式を、電磁誘導方式又はマイクロ波方式等に変えることにより、数ｃｍ〜数ｍまで変更することができる。
【０１４６】
また、以下の説明においては、説明の便宜上、デジタル複合機１００の近距離通信部１２と、メモリデバイス２００近距離通信部６０とが静電結合方式又は電磁結合方式を用いるＲＦＩＤシステムにて送受信する場合を例として説明する。
【０１４７】
（実施例１）
図９は本発明の実施の形態２の実施例１における、デジタル複合機１００及びメモリデバイス２００の間のデータ通信を説明するフローチャートである。説明の便宜上、実施の形態２においては、デジタル複合機１００の記憶部１１に複数のデータのファイルが夫々のファイル名毎に記憶されているものとする。
【０１４８】
デジタル複合機１００の有無判定部２３は、上述した方法により、所定の範囲内にメモリデバイス２００が存在するか否かを判定する（ステップＳ６０１）。この際、表示部９には、いわゆる初期画面が表示されている。
【０１４９】
有無判定部２３は所定の範囲内にメモリデバイス２００が存在しないと判定した場合（ステップＳ６０１：ＮＯ）、該範囲内にメモリデバイス２００が存在すると判定されるまで、該判定を繰り返して行う。
【０１５０】
一方、操作を試みるメモリデバイス２００の使用者がデジタル複合機１００の前に立つ場合、又はメモリデバイス２００を手にして操作パネル又は表示部９に手を動かした場合、有無判定部２３が所定の範囲内にメモリデバイス２００が存在すると判定した場合（ステップＳ６０１：ＹＥＳ）、表示制御部１０は決定受付画面を生成して表示部９に表示する（ステップＳ６０２）。該決定受付画面には、記憶部１１に記憶されているファイルを表す複数のアイコン（画像）がそのファイル名と共に表示されている。図１０は本発明の実施の形態２の実施例１における、決定受付画面及びその操作の一例を示す例示図である。
【０１５１】
なお、この際、近距離通信部１２が前記電磁波を受信して、内部回路が駆動され、斯かる起動信号に応じて応答信号が近距離通信部６０に送出されるので、近距離通信部１２及び近距離通信部６０の間では通信が確立される。
【０１５２】
決定受付画面にアイコンにて表示された複数のデータファイルの中、何れかのファイルをメモリデバイス２００に送信したい使用者は、該決定受付画面の複数のアイコン（Ｆ１、Ｆ２、Ｆ３）の中、何れか１つをメモリデバイス２００を用いて接触して決定する。すなわち、使用者は、メモリデバイス２００を手に持って、メモリデバイス２００の所定部分にて送信を希望する何れかのアイコンを接触する。
【０１５３】
この際、ＣＰＵ１は、タッチパネル６を監視することにより、換言すれば、タッチパネル６からの信号に基づき、表示部９の表示面への接触があったか否かを判定する（ステップＳ６０３）。
【０１５４】
一方、本発明の実施の形態２の実施例１に係るデジタル複合機１００においても、実施の形態１と同様、使用者による接触操作の形態によって、異なる処理を行うように構成されている。
【０１５５】
ＣＰＵ１は表示部９の表示面への接触がないと判定した場合（ステップＳ６０３：ＮＯ）、表示部９の表示面への接触があるまで該判定を繰り返す。
【０１５６】
また、ＣＰＵ１は表示部９の表示面への接触（Ｐ１）があったと判定した場合（ステップＳ６０３：ＹＥＳ）、該接触がタッチ操作であるか否かを判定する（ステップＳ６０４）。該判定は、例えば、メモリデバイス２００と表示部９の表示面の接触点の移動如何に基づいて判定される。
【０１５７】
ＣＰＵ１は表示部９の表示面への接触がタッチ操作であると判定した場合（ステップＳ６０４：ＹＥＳ）、該タッチ操作に係る位置のアイコン（図１０中、アイコンＦ２）に対応するデータファイルを送受信相手に移動させる指示を受け付ける。従って、ＣＰＵ１は、アイコンＦ２に対応するデータファイル（対応記憶データ）を記憶部１１から近距離通信部１２に送り、送受信相手（メモリデバイス２００）に送信するように指示する。
【０１５８】
ＣＰＵ１からの該指示に応じて、近距離通信部１２は、通信が確立されたメモリデバイス２００（近距離通信部６０）に、アイコンＦ２に対応するデータファイルを送信する（ステップＳ６０５）。
【０１５９】
また、使用者によるフリック操作又はドラッグ操作から、前記接触点がＰ１からＰ２へ移動した場合は、ＣＰＵ１は表示部９の表示面への接触がタッチ操作でないと判定する（ステップＳ６０４：ＮＯ）。斯かる際、ＣＰＵ１は、該接触操作に係る位置のアイコンＦ２に対応するデータファイルの複写データを送受信相手に移動させる指示を受け付ける。従って、ＣＰＵ１は、アイコンＦ２に対応するデータファイル（対応記憶データ）を複写した複写データを生成して該複写データを近距離通信部１２に送り、送受信相手（メモリデバイス２００）に送信するように指示する。
【０１６０】
ＣＰＵ１からの該指示に応じて、近距離通信部１２は、通信が確立されたメモリデバイス２００（近距離通信部６０）に、アイコンＦ２に対応するデータファイルの複写データを送信する（ステップＳ６０６）。
【０１６１】
以上のように、本発明においては、使用者がメモリデバイス２００を手に持って、表示部９に接近した場合、前記決定受付画面が表示部９に表示され、使用者はメモリデバイス２００の所定部分を表示部９に表示された何れかのアイコンに接触させる。すなわち、送信の対象たるファイルを、その送信先（メモリデバイス２００）にて選択（接触）するので、斯かる送信の処理における、送信対象ファイル及び送信先の選択が直観的に行われる。
【０１６２】
（実施例２）
図１１は本発明の実施の形態２の実施例２における、デジタル複合機１００及びメモリデバイス２００の間のデータ通信を説明するフローチャートである。説明の便宜上、使用者による接触操作がタッチであり、デジタル複合機１００の記憶部１１に複数のデータファイルが夫々のファイル名毎に記憶されているものとする。
【０１６３】
デジタル複合機１００の有無判定部２３は、上述した方法により、所定の範囲内にメモリデバイス２００が存在するか否かを判定する（ステップＳ７０１）。この際、表示部９には、いわゆる初期画面が表示されている。
【０１６４】
有無判定部２３は所定の範囲内にメモリデバイス２００が存在しないと判定した場合（ステップＳ７０１：ＮＯ）、該範囲内にメモリデバイス２００が存在すると判定されるまで、該判定を繰り返して行う。
【０１６５】
一方、有無判定部２３が所定の範囲内にメモリデバイス２００が存在すると判定した場合（ステップＳ７０１：ＹＥＳ）、表示制御部１０は決定受付画面を生成して表示部９に表示する（ステップＳ７０２）。該決定受付画面には、記憶部１１に記憶されているファイルを表す複数のアイコン（画像）がそのファイル名と共に表示されている（図１０参照）。なお、この際、近距離通信部１２及び近距離通信部６０の間では、上述した方法により、通信が確立される。
【０１６６】
決定受付画面にアイコンにて表示された複数のデータファイルの中、何れかのファイルをメモリデバイス２００に送信したい使用者は、該決定受付画面の複数のアイコン（Ｆ１、Ｆ２、Ｆ３）の中、何れか１つをメモリデバイス２００を用いて接触して決定する。
【０１６７】
この際、ＣＰＵ１は、タッチパネル６を監視することにより、換言すれば、タッチパネル６からの信号に基づき、表示部９の表示面への接触があったか否かを判定する（ステップＳ７０３）。
【０１６８】
ＣＰＵ１は表示部９の表示面への接触がないと判定した場合（ステップＳ７０３：ＮＯ）、表示部９の表示面への接触があるまで該判定を繰り返す。
【０１６９】
また、ＣＰＵ１は表示部９の表示面への接触があったと判定した場合（ステップＳ７０３：ＹＥＳ）、上述したように、該接触がタッチ操作であるので、該タッチ操作に係る位置のアイコンＦ２に対応するデータファイルを送受信相手に移動させる指示を受け付ける。
【０１７０】
従って、ＣＰＵ１は、アイコンＦ２に対応するデータファイル（対応記憶データ）及びそのファイル名（特定データ）「△△△△」を記憶部１１から近距離通信部１２に送り、送受信相手（メモリデバイス２００）にこれらを送信するように近距離通信部１２に指示する。
【０１７１】
ＣＰＵ１からの該指示に応じて、近距離通信部１２は、通信が確立されたメモリデバイス２００（近距離通信部６０）に、前記ファイル名を送信する（ステップＳ７０４）。
【０１７２】
この際、メモリデバイス２００の近距離通信部６０が、デジタル複合機１００の近距離通信部１２から前記ファイル名を受信する（ステップＳ８０１）。
【０１７３】
近距離通信部６０が前記ファイル名を受信した場合、メモリデバイス２００の既記憶判定部３１は、該ファイル名と同じファイル名が記憶部４０に記憶されているか検索する。斯かる検索の結果に基づき、既記憶判定部３１は該ファイル名によって特定されるファイル（データ）が記憶部４０に既に記憶されているか否かを判定する（ステップＳ８０２）。
【０１７４】
既記憶判定部３１が前記ファイル名によって特定されるファイルが記憶部４０に既に記憶されていると判定した場合（ステップＳ８０２：ＹＥＳ）、制御部３０は振動部７０を振動させて、前記ファイル名によって特定されるファイルが記憶部４０に既記憶のファイルである旨を使用者に報知して（ステップＳ８０７）、処理を終了する。
【０１７５】
また、既記憶判定部３１が前記ファイル名によって特定されるファイルが記憶部４０に記憶されていないと判定した場合（ステップＳ８０２：ＮＯ）、制御部３０は、前記ファイル名によって特定されるファイルの送信を要求する旨のデータを生成し、該データをデジタル複合機１００に送信するよう、近距離通信部６０に指示する。制御部３０の指示に応じて、近距離通信部６０は、前記ファイルの送信を要求する旨のデータをデジタル複合機１００に送信する（ステップＳ８０３）。
【０１７６】
この際、デジタル複合機１００の近距離通信部１２は、斯かるデータをメモリデバイス２００から受信する（ステップＳ７０５）。また、ＣＰＵ１は、前記ファイル名によって特定されるデータファイル、すなわち、アイコンＦ２に対応するデータファイルを近距離通信部１２に送り、メモリデバイス２００に送るように指示する。
【０１７７】
ＣＰＵ１の指示に応じて、近距離通信部１２はアイコンＦ２に対応するデータファイルをメモリデバイス２００に送信する（ステップＳ７０６）。
【０１７８】
この際、メモリデバイス２００の近距離通信部６０が斯かるファイルの受信を開始し（ステップＳ８０４）、制御部３０はステップＳ８０７とは異なるパターンにて振動部７０を振動させて、デジタル複合機１００から斯かるファイルの受信を開始した旨を使用者に報知する（ステップＳ８０５）。
【０１７９】
一方、所定時間経過後、デジタル複合機１００の近距離通信部１２による当該ファイルの送信が終了した場合、デジタル複合機１００のＣＰＵ１は、ファイルの送信が終了した旨のデータを生成して近距離通信部１２に送り、メモリデバイス２００に送信するよう指示する。ＣＰＵ１の指示に応じて、近距離通信部１２はファイルの送信が終了した旨のデータをメモリデバイス２００に送信する（ステップＳ７０７）。
【０１８０】
この際、メモリデバイス２００の近距離通信部６０が該データを受信し、制御部３０はステップＳ８０５及びステップＳ８０７とは異なるパターンにて振動部７０を振動させて、デジタル複合機１００からのファイル受信が終了した旨を使用者に報知する（ステップＳ８０６）。
【０１８１】
以上の記載においては、振動部７０の振動を用いて使用者に報知する場合を例として説明したが、これに限るものでない。例えば、ＬＥＤを設け、発光パターン又は発光色を異にすることによって報知を行うように構成しても良い。
【０１８２】
（実施例３）
図１２及び図１３は本発明の実施の形態２の実施例３における、デジタル複合機１００及びメモリデバイス２００の間のデータ通信を説明するフローチャートである。説明の便宜上、使用者による接触操作がタッチであり、デジタル複合機１００の記憶部１１に複数のデータファイルが夫々のファイル名毎に記憶されているものとする。
【０１８３】
デジタル複合機１００の有無判定部２３は、上述した方法により、所定の範囲内にメモリデバイス２００が存在するか否かを判定する（ステップＳ９０１）。この際、表示部９には、いわゆる初期画面が表示されている。
【０１８４】
有無判定部２３は所定の範囲内にメモリデバイス２００が存在しないと判定した場合（ステップＳ９０１：ＮＯ）、該範囲内にメモリデバイス２００が存在すると判定されるまで、該判定を繰り返して行う。
【０１８５】
一方、有無判定部２３が所定の範囲内にメモリデバイス２００が存在すると判定した場合（ステップＳ９０１：ＹＥＳ）、表示制御部１０は決定受付画面を生成して表示部９に表示する（ステップＳ９０２）。該決定受付画面には、記憶部１１に記憶されているファイルを表す複数のアイコン（画像）がそのファイル名と共に表示されている（図１０参照）。なお、この際、近距離通信部１２及び近距離通信部６０の間では、上述した方法により、通信が確立される。
【０１８６】
決定受付画面にアイコンにて表示された複数のデータファイルの中、何れかのファイルをメモリデバイス２００に送信したい使用者は、該決定受付画面の複数のアイコン（Ｆ１、Ｆ２、Ｆ３）の中、何れか１つをメモリデバイス２００を用いて接触して決定する。
【０１８７】
この際、ＣＰＵ１は、タッチパネル６を監視することにより、表示部９の表示面への接触があったか否かを判定する（ステップＳ９０３）。ＣＰＵ１は表示部９の表示面への接触がないと判定した場合（ステップＳ９０３：ＮＯ）、表示部９の表示面への接触があるまで該判定を繰り返す。
【０１８８】
また、ＣＰＵ１は表示部９の表示面への接触があったと判定した場合（ステップＳ９０３：ＹＥＳ）、上述したように、該接触がタッチ操作であるので、該タッチ操作に係る位置のアイコンＦ２に対応するデータファイルを送受信相手に移動させる指示を受け付ける。
【０１８９】
従って、ＣＰＵ１は、アイコンＦ２に対応するデータファイル（対応記憶データ）及びそのファイル名（特定データ）「△△△△」を記憶部１１から近距離通信部１２に送り、送受信相手（メモリデバイス２００）にこれらを送信するように近距離通信部１２に指示する。
【０１９０】
ＣＰＵ１からの該指示に応じて、近距離通信部１２は、通信が確立されたメモリデバイス２００（近距離通信部６０）に、前記ファイル名を送信する（ステップＳ９０４）。
【０１９１】
この際、メモリデバイス２００の近距離通信部６０が、デジタル複合機１００の近距離通信部１２から前記ファイル名を受信する（ステップＳ１００１）。
【０１９２】
近距離通信部６０が前記ファイル名を受信した場合、メモリデバイス２００の既記憶判定部３１は、該ファイル名と同じファイル名が記憶部４０に記憶されているか検索する。斯かる検索の結果に基づき、既記憶判定部３１は該ファイル名によって特定されるファイル（データ）が記憶部４０に既に記憶されているか否かを判定する（ステップＳ１００２）。
【０１９３】
既記憶判定部３１が前記ファイル名によって特定されるファイルが記憶部４０に既に記憶されていると判定した場合（ステップＳ１００２：ＹＥＳ）、制御部３０は振動部７０を振動させて、前記ファイル名によって特定されるファイルが記憶部４０に既記憶のファイルである旨を使用者に報知して（ステップＳ１００３）、処理を終了する。
【０１９４】
また、既記憶判定部３１が前記ファイル名によって特定されるファイルが記憶部４０に記憶されていないと判定した場合（ステップＳ１００２：ＮＯ）、制御部３０は、前記ファイル名によって特定されるファイルの送信を要求する旨のデータを生成し、該データをデジタル複合機１００に送信するよう、近距離通信部６０に指示する。制御部３０の指示に応じて、近距離通信部６０は、前記ファイルの送信を要求する旨のデータをデジタル複合機１００に送信する（ステップＳ１００４）。
【０１９５】
この際、デジタル複合機１００の近距離通信部１２は、斯かるデータをメモリデバイス２００から受信する（ステップＳ９０５）。次いで、データ量判定部２１は、前記ファイル名によって特定されるデータのファイル、すなわち、アイコンＦ２に対応するデータファイルの量が所定の閾値以上であるか否かを判定する（ステップＳ９０６）。
【０１９６】
アイコンＦ２に対応する原稿の画像データのファイルの量が所定の閾値以上であるとデータ量判定部２１が判定した場合（ステップＳ９０６：ＹＥＳ）、ＣＰＵ１は、アイコンＦ２に対応するデータファイルが大量である旨のデータを生成して近距離通信部１２に送り、メモリデバイス２００に送信するよう指示する。ＣＰＵ１の指示に応じて、近距離通信部１２はアイコンＦ２に対応するデータファイルが大量である旨のデータ（以下、大量報知データと言う。）をメモリデバイス２００に送信する（ステップＳ９０７）。
【０１９７】
この際、メモリデバイス２００の制御部３０は近距離通信部６０を監視することにより、デジタル複合機１００からの前記大量報知データの受信があったか否かを判定する（ステップＳ１００５）。
【０１９８】
例えば、所定時間の間、前記大量報知データの受信がなかった場合、制御部３０はデジタル複合機１００からの前記大量報知データの受信がなかったと判定し（ステップＳ１００５：ＮＯ）、ステップＳ１００８に移動する。
【０１９９】
一方、メモリデバイス２００の近距離通信部６０が前記大量報知データを受信した場合、制御部３０は前記大量報知データの受信があったと判定する（ステップＳ１００５：ＹＥＳ）。次いで、制御部３０はステップＳ１００３と異なるパターンにて振動部７０を振動させて、アイコンＦ２に対応するデータファイルが大量である旨を使用者に報知する（ステップＳ１００６）。
【０２００】
該報知を受けた使用者は、以降、該ファイルの受信を続行するか否かの決定を行う。例えば、該ファイルの受信を続行すると決定した場合、使用者は決定受付ボタン５０を押圧する操作を行う。
【０２０１】
すなわち、制御部３０は、決定受付ボタン５０を監視することにより、当該ファイルの受信を続行するか否かの判定を行う（ステップＳ１００７）。使用者が、所定時間の間、決定受付ボタン５０を操作しなかった場合、制御部３０はファイルの受信を続行しないと判定し（ステップＳ１００７：ＮＯ）、処理は終了する。
【０２０２】
一方、使用者が決定受付ボタン５０を操作したことで、制御部３０がファイルの受信を続行すると判定した場合（ステップＳ１００７：ＹＥＳ）、又はステップＳ１００５にて、制御部３０が前記大量報知データの受信がなかったと判定した場合、制御部３０は、ファイルの送信開始を要求する旨のデータを生成し、該データをデジタル複合機１００に送信するよう、近距離通信部６０に指示する。制御部３０の指示に応じて、近距離通信部６０は、前記ファイルの送信開始を要求する旨のデータをデジタル複合機１００に送信する（ステップＳ１００８）。
【０２０３】
一方、デジタル複合機１００側においては、データ量判定部２１がアイコンＦ２に対応するデータファイルの量が所定の閾値以上でないと判定した場合（ステップＳ９０６：ＮＯ）、又はステップＳ９０７にて大量報知データをメモリデバイス２００に送信した後、メモリデバイス２００から前記送信開始の要求が送信されるまで待機する。
【０２０４】
斯かる際、デジタル複合機１００のＣＰＵ１は近距離通信部１２を監視することにより、メモリデバイス２００から送信開始の要求があったか否かを判定する（ステップＳ９０８）。ＣＰＵ１はメモリデバイス２００から送信開始の要求がないと判定した場合（ステップＳ９０８：ＮＯ）、該送信開始の要求が受信されるまで、該判定を繰り返す。
【０２０５】
一方、ＣＰＵ１はメモリデバイス２００から送信開始の要求があったと判定した場合（ステップＳ９０８：ＹＥＳ）、アイコンＦ２に対応するデータファイルを近距離通信部１２に送り、メモリデバイス２００に送るように指示する。ＣＰＵ１の指示に応じて、近距離通信部１２はアイコンＦ２に対応するデータファイルをメモリデバイス２００に送信する（ステップＳ９０９）。
【０２０６】
以降におけるステップＳ１００９〜ステップＳ１０１１の処理及びステップＳ９１０の処理は、上述したステップＳ８０４〜ステップＳ８０６の処理及びステップＳ７０７の処理と夫々同様であり、詳しい説明を省略する。
【０２０７】
実施の形態１と同様の部分については、同一の符号を付して詳細な説明を省略する。
【０２０８】
なお、以上の記載においては、メモリデバイス２００が１つである場合を例として説明したが、これに限るものでない。例えば、メモリデバイス２００が複数である場合であって、適用可能であることは言うまでもない。
【０２０９】
（実施の形態３）
図１４は本発明の実施の形態３に係るデジタル複合機１００の要部構成を示す機能ブロック図である。実施の形態３に係るデジタル複合機１００は、動作を行うためのコンピュータプログラムが、Ｉ／Ｆ部１３を介してＣＤ−ＲＯＭ等の可搬型記録媒体Ａで提供することも可能であるように構成されている。さらに、実施の形態３に係るデジタル複合機１００は、前記コンピュータプログラムを、外部装置から近距離通信部１２を介してダウンロードすることも可能であるように構成されている。以下に、その内容を説明する。
【０２１０】
実施の形態３のデジタル複合機１００は外装（又は内装）の記録媒体読み取り装置（図示せず）を備えており、該記録媒体読み取り装置に、記憶しているデータ（記憶データ）を表す一又は複数のアイコン（画像）を表示部９に表示させ、検出された接触に係るメモリデバイス２００（外部装置）と通信を確立させ、タッチパネル６（検出手段）の検出結果に基づき、斯かる接触の位置に係るアイコン（画像）に対応するデータ（対応記憶データ）又は該データの複写データをメモリデバイス２００（外部装置）に送信させるプログラム等が記録された可搬型記録媒体Ａを挿入して、例えば、ＣＰＵ１がＲＯＭ２にこのプログラムをインストールする。かかるプログラムはＲＡＭ３にロードして実行される。これにより、実施の形態１及び実施の形態２における、デジタル複合機１００として機能する。
【０２１１】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【０２１２】
近距離通信部１２を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０２１３】
実施の形態１と同様の部分については、同一の符号を付して詳細な説明を省略する。
【符号の説明】
【０２１４】
１  ＣＰＵ
６  タッチパネル
９  表示部
１０  表示制御部
１１  記憶部
１２  近距離通信部
２０  制御部
２１  データ量判定部
２２  通信確立制御部
３０  制御部
４０  記憶部
６０  近距離通信部
７０  振動部
２００  メモリデバイス
１００  デジタル複合機
Ａ  可搬型記録媒体
【図１】
0005816462.tif 000002
【図２】
0005816462.tif 000003
【図３】
0005816462.tif 000004
【図４】
0005816462.tif 000005
【図５】
0005816462.tif 000006
【図６】
0005816462.tif 000007
【図７】
0005816462.tif 000008
【図８】
0005816462.tif 000009
【図９】
0005816462.tif 000010
【図１０】
0005816462.tif 000011
【図１１】
0005816462.tif 000012
【図１２】
0005816462.tif 000013
【図１３】
0005816462.tif 000014
【図１４】
0005816462.tif 000015